(57)【要約】【課題】比重の軽い異物が大量に流入した場合であってもエレメントに付着した異物を除去することができる海水中異物除去装置を提供することができる。【解決手段】海水中異物除去装置において、ポンプ１１から送水される海水又は洗浄水を導入する入口管４と、透過水を導出する出口管５と、異物を排出するブロー管６と、内部の海水又は洗浄水を排水するドレン管７とを備える円筒形状のストレーナ容器１と、ストレーナ容器１の上部の空間と下部の空間とを仕切る中央部に開口部２ａが形成された隔壁２と、ストレーナ容器１の内部の上部の空間には、複数の孔が形成された円筒形状のエレメント３と、出口管５及びドレン管７に接続された逆洗用のポンプ２０と、ポンプ１１，１２の停止及び稼動や、入口弁１０、出口弁１２、ブロー弁１３、ドレン弁１４及びガス抜き弁１５の開度を制御する制御装置９とを備えた。【選択図】図１
2012020260.tif 000002
【特許請求の範囲】
【請求項１】
円筒形状の容器と、
前記容器の内部には、該容器の上部の空間と下部の空間とを仕切る中央部に開口部が形成された隔壁と、
前記容器の内部の上部の空間には、複数の孔が形成された円筒形状のエレメントと、
前記容器の上部側面には、該容器の内部の上部の空間に海水又は洗浄水を導入する入口管と、
前記入口管には、前記容器の内部に導入する海水又は洗浄水の量を調節する入口弁と、
前記入口管の前記入口弁の上流側には、前記容器の内部に海水又は洗浄水を送水するポンプと、
前記容器の下部側面には、該容器の下部の空間から透過水を導出する出口管と、
前記出口管には、前記容器の内部から導出される透過水の量を調節する出口弁と、
前記容器の側面の前記隔壁の近傍の上部には、上部の空間から異物を排出するブロー管と、
前記ブロー管には、該ブロー管の流量を調節するブロー弁と、
前記容器の底部には、該容器の内部の海水又は洗浄水を排水するドレン管と、
前記ドレン管には、該ドレン管の流量を調節するドレン弁と、
前記出口管又は前記ドレン管に接続され前記容器の内部に海水又は洗浄水を逆洗浄水として送水する逆洗用ポンプと、
前記容器の上部には、該容器の内部に溜まった空気を排出するガス抜き管と、
前記ガス抜き管には、該ガス抜き管の流量を調節するガス抜き弁と、
前記ポンプ及び前記逆洗用ポンプの停止及び稼動や、前記入口弁、前記出口弁、前記ブロー弁及び前記ガス抜き弁の開度を制御する制御装置と
を備える
ことを特徴とする海水中異物除去装置。
【請求項２】
円筒形状の容器と
前記容器の内部には、該容器の上部の空間と下部の空間とを仕切る中央部に開口部が形成された隔壁と、
前記容器の内部の上部の空間には、複数の孔が形成された円筒形状のエレメントと、
前記容器の上部側面には、該容器の内部の上部の空間に海水又は洗浄水を導入する入口管と、
前記入口管には、前記容器の内部に導入する海水又は洗浄水の量を調節する入口弁と、
前記入口管の前記入口弁の上流側には、前記容器の内部に海水又は洗浄水を送水するポンプと、
前記容器の下部側面には、該容器の下部の空間から透過水を導出する出口管と、
前記出口管には、前記容器の内部から導出される透過水の量を調節する出口弁と、
前記容器の側面の前記隔壁の近傍の上部には、上部の空間から異物を排出するブロー管と、
前記ブロー管には、該ブロー管の流量を調節するブロー弁と、
前記容器の底部には、該容器の内部の海水又は洗浄水を排水するドレン管と、
前記ドレン管には、該ドレン管の流量を調節するドレン弁と、
前記容器の上部には、該容器の内部に溜まった空気を排出するガス抜き管と、
前記ガス抜き管には、該ガス抜き管の流量を調節するガス抜き弁と、
前記ポンプと前記出口管又は前記ドレン管とを接続し、前記容器の内部に海水又は洗浄水を逆洗浄水として送水するバイパス管と、
前記バイパス管には、該バイパス管の流量を調節するバイパス弁と、
前記ポンプの停止及び稼動や、前記入口弁、前記出口弁、前記ブロー弁、前記ガス抜き弁及び前記バイパス弁の開度を制御する制御装置と
を備える
ことを特徴とする海水中異物除去装置。
【請求項３】
前記ガス抜き管に接続され前記エレメントの内部に圧縮空気を供給する圧縮空気供給手段を備える
ことを特徴とする請求項１又は請求項２に記載の海水中異物除去装置。
【請求項４】
前記出口管又は前記ドレン管に接続され逆洗浄水に空気を供給して気液２相水とする空気供給手段を備える
ことを特徴とする請求項１又は請求項２に記載の海水中異物除去装置。
【請求項５】
逆洗終了後、前記制御装置により前記出口弁を閉じた後、前記制御装置により前記ポンプを稼動させて前記入口管から洗浄水を導入して順洗を行う
ことを特徴とする請求項１から請求項４のいずれか１項に記載の海水中異物除去装置。
【請求項６】
前記容器に逆洗時にのみ専用で使用する逆洗用ブロー管を設置する
ことを特徴とする請求項１から請求項５のいずれか１項に記載の海水中異物除去装置。
【請求項７】
円筒形状の容器と
前記容器の内部には、該容器の上部の空間と下部の空間とを仕切る中央部に開口部が形成された隔壁と、
前記容器の内部の上部の空間には、複数の孔が形成された円筒形状のエレメントと、
前記容器の上部側面には、該容器の内部の上部の空間に海水又は洗浄水を導入する入口管と、
前記入口管には、前記容器の内部に導入する海水又は洗浄水の量を調節する入口弁と、
前記入口管の前記入口弁の上流側には、前記容器の内部に海水又は洗浄水を送水するポンプと、
前記容器の下部側面には、該容器の下部の空間から透過水を導出する出口管と、
前記出口管には、前記容器の内部から導出される透過水の量を調節する出口弁と、
前記容器の側面の前記隔壁の近傍の上部には、上部の空間から異物を排出するブロー管と、
前記ブロー管には、該ブロー管の流量を調節するブロー弁と、
前記容器の底部には、該容器の内部の海水又は洗浄水を排水するドレン管と、
前記ドレン管には、該ドレン管の流量を調節するドレン弁と、
前記容器の上部には、該容器の内部に溜まった空気を排出するガス抜き管と、
前記ガス抜き管には、該ガス抜き管の流量を調節するガス抜き弁と、
を備える第１の海水中異物除去装置と、
円筒形状の容器と
前記容器の内部には、該容器の上部の空間と下部の空間とを仕切る中央部に開口部が形成された隔壁と、
前記容器の内部の上部の空間には、複数の孔が形成された円筒形状のエレメントと、
前記容器の上部側面には、該容器の内部の上部の空間に海水又は洗浄水を導入する入口管と、
前記入口管には、前記容器の内部に導入する海水又は洗浄水の量を調節する入口弁と、
前記入口管の前記入口弁の上流側には、前記容器の内部に海水又は洗浄水を送水するポンプと、
前記容器の下部側面には、該容器の下部の空間から透過水を導出する出口管と、
前記出口管には、前記容器の内部から導出される透過水の量を調節する出口弁と、
前記容器の側面の前記隔壁の近傍の上部には、上部の空間から異物を排出するブロー管と、
前記ブロー管には、該ブロー管の流量を調節するブロー弁と、
前記容器の底部には、該容器の内部の海水又は洗浄水を排水するドレン管と、
前記ドレン管には、該ドレン管の流量を調節するドレン弁と、
前記容器の上部には、該容器の内部に溜まった空気を排出するガス抜き管と、
前記ガス抜き管には、該ガス抜き管の流量を調節するガス抜き弁と、
を備える第２の海水中異物除去装置と、
前記第１の海水中異物除去装置の前記出口管と前記第２の海水中異物除去装置の前記出口管とを接続する逆洗用の逆洗管と、
前記逆洗管には、該逆洗管の流量を調節する逆洗管弁と、
前記第１の海水中異物除去装置及び前記第２の海水中異物除去装置における前記ポンプの停止及び稼動や、前記入口弁、前記出口弁、前記ブロー弁、前記ガス抜き弁及び逆洗管弁の開度を制御する制御装置と
ことを特徴とする海水中異物除去装置。
【請求項８】
前記制御装置は、
前記第２の海水中異物除去装置の逆洗時には前記第１の海水中異物除去装置の前記出口弁の開閉を繰り返し、
前記第１の海水中異物除去装置の逆洗時には前記第２の海水中異物除去装置の前記出口弁の開閉を繰り返す
ことを特徴とする請求項７に記載の海水中異物除去装置。
【発明の詳細な説明】
【技術分野】
【０００１】
本発明は、海水中異物除去装置に関する。
【背景技術】
【０００２】
従来、原子力発電所等の冷却系統において使用される冷却水として、海から取水した海水が用いられている。しかし、海水中には微小海生生物等の異物が含まれており、異物が冷却系統に侵入した場合、冷却系統に悪影響を及ぼす虞がある。このため、冷却系統の上流に海水中の異物を除去するストレーナが設置される（例えば、下記特許文献１，２参照）。
【０００３】
このストレーナとして、一般に旋回流による自洗式ストレーナが知られている。この旋回流自洗式ストレーナは、円筒形の容器の内部に、異物を捕らえるための複数の孔が形成された円筒形のエレメントが設置されている。ストレーナの内部に導入された海水は、エレメントの周囲を旋回しつつエレメントを透過し、異物が除去された透過水が冷却系統へ供給される構造となっている。
【０００４】
そして、ストレーナに導入された海水に含まれる比重の重い異物は、エレメントの周囲を旋回する流れにより、旋回しながらストレーナの容器下部外側に集まって異物排出用のブロー管から排出される。また、ストレーナに導入された海水に含まれる比重の軽い異物は、エレメントの周囲を旋回する流れによる流れ場の乱れにより、エレメントに付着することなくブロー管より排出される。
【先行技術文献】
【特許文献】
【０００５】
【特許文献１】特開昭６０−０６２５８９号公報
【特許文献２】特開平０７−３０５９９７号公報
【発明の概要】
【発明が解決しようとする課題】
【０００６】
しかしながら、微小海生生物等の異物の比重は海水とほぼ同等であるため、エレメントに付着する量が少量の場合には流れ場の乱れによりエレメントの表面からはがされるものの、特定の時期に大量発生した微小海生生物等がストレーナ内に一度に大量に流入した場合には、エレメントから異物を剥離する剥離速度よりもエレメントへ異物が付着する付着速度の方が上回ってしまい、エレメントに微小海生生物が付着してエレメントの差圧が上昇してしまう。
【０００７】
そして、微小海生生物等の異物の付着が引き金となって、エレメントの差圧が大きくなり、エレメントへ異物を押付ける押付け圧力がさらに上昇することにより、流れ場の乱れによっても異物をエレメントからはがすことができなくなるため、エレメントの差圧が急上昇し、最悪の場合、冷却系統において必要とされる冷却水量が短時間で得られなくなる虞がある。
【０００８】
以上のことから、本発明は、比重の軽い異物が大量に流入した場合であってもエレメントに付着した異物を除去することができる海水中異物除去装置を提供することを目的とする。
【課題を解決するための手段】
【０００９】
上記の課題を解決するための第１の発明に係る海水中異物除去装置は、
円筒形状の容器と、
前記容器の内部には、該容器の上部の空間と下部の空間とを仕切る中央部に開口部が形成された隔壁と、
前記容器の内部の上部の空間には、複数の孔が形成された円筒形状のエレメントと、
前記容器の上部側面には、該容器の内部の上部の空間に海水又は洗浄水を導入する入口管と、
前記入口管には、前記容器の内部に導入する海水又は洗浄水の量を調節する入口弁と、
前記入口管の前記入口弁の上流側には、前記容器の内部に海水又は洗浄水を送水するポンプと、
前記容器の下部側面には、該容器の下部の空間から透過水を導出する出口管と、
前記出口管には、前記容器の内部から導出される透過水の量を調節する出口弁と、
前記容器の側面の前記隔壁の近傍の上部には、上部の空間から異物を排出するブロー管と、
前記ブロー管には、該ブロー管の流量を調節するブロー弁と、
前記容器の底部には、該容器の内部の海水又は洗浄水を排水するドレン管と、
前記ドレン管には、該ドレン管の流量を調節するドレン弁と、
前記出口管又は前記ドレン管に接続され前記容器の内部に海水又は洗浄水を逆洗浄水として送水する逆洗用ポンプと、
前記容器の上部には、該容器の内部に溜まった空気を排出するガス抜き管と、
前記ガス抜き管には、該ガス抜き管の流量を調節するガス抜き弁と、
前記ポンプ及び前記逆洗用ポンプの停止及び稼動や、前記入口弁、前記出口弁、前記ブロー弁及び前記ガス抜き弁の開度を制御する制御装置と
を備える
ことを特徴とする海水中異物除去装置。
【００１０】
上記の課題を解決するための第２の発明に係る海水中異物除去装置は、
円筒形状の容器と
前記容器の内部には、該容器の上部の空間と下部の空間とを仕切る中央部に開口部が形成された隔壁と、
前記容器の内部の上部の空間には、複数の孔が形成された円筒形状のエレメントと、
前記容器の上部側面には、該容器の内部の上部の空間に海水又は洗浄水を導入する入口管と、
前記入口管には、前記容器の内部に導入する海水又は洗浄水の量を調節する入口弁と、
前記入口管の前記入口弁の上流側には、前記容器の内部に海水又は洗浄水を送水するポンプと、
前記容器の下部側面には、該容器の下部の空間から透過水を導出する出口管と、
前記出口管には、前記容器の内部から導出される透過水の量を調節する出口弁と、
前記容器の側面の前記隔壁の近傍の上部には、上部の空間から異物を排出するブロー管と、
前記ブロー管には、該ブロー管の流量を調節するブロー弁と、
前記容器の底部には、該容器の内部の海水又は洗浄水を排水するドレン管と、
前記ドレン管には、該ドレン管の流量を調節するドレン弁と、
前記容器の上部には、該容器の内部に溜まった空気を排出するガス抜き管と、
前記ガス抜き管には、該ガス抜き管の流量を調節するガス抜き弁と、
前記ポンプと前記出口管又は前記ドレン管とを接続し、前記容器の内部に海水又は洗浄水を逆洗浄水として送水するバイパス管と、
前記バイパス管には、該バイパス管の流量を調節するバイパス弁と、
前記ポンプの停止及び稼動や、前記入口弁、前記出口弁、前記ブロー弁、前記ガス抜き弁及び前記バイパス弁の開度を制御する制御装置と
を備える
ことを特徴とする海水中異物除去装置。
【００１１】
上記の課題を解決するための第３の発明に係る海水中異物除去装置は、第１，２の発明に係る海水中異物除去装置において、
前記ガス抜き管に接続され前記エレメントの内部に圧縮空気を供給する圧縮空気供給手段を備える
ことを特徴とする。
【００１２】
上記の課題を解決するための第４の発明に係る海水中異物除去装置は、第１，２の発明に係る海水中異物除去装置において、
前記出口管又は前記ドレン管に接続され逆洗浄水に空気を供給して気液２相水とする空気供給手段を備える
ことを特徴とする。
【００１３】
上記の課題を解決するための第５の発明に係る海水中異物除去装置は、第１〜４の発明のいずれかひとつに係る海水中異物除去装置において、
逆洗終了後、前記制御装置により前記出口弁を閉じた後、前記制御装置により前記ポンプを稼動させて前記入口管から洗浄水を導入して順洗を行う
ことを特徴とする。
【００１４】
上記の課題を解決するための第６の発明に係る海水中異物除去装置は、第１〜５の発明のいずれかひとつに係る海水中異物除去装置において、
前記容器に逆洗時にのみ専用で使用する逆洗用ブロー管を設置する
ことを特徴とする。
【００１５】
上記の課題を解決するための第７の発明に係る海水中異物除去装置は、
円筒形状の容器と
前記容器の内部には、該容器の上部の空間と下部の空間とを仕切る中央部に開口部が形成された隔壁と、
前記容器の内部の上部の空間には、複数の孔が形成された円筒形状のエレメントと、
前記容器の上部側面には、該容器の内部の上部の空間に海水又は洗浄水を導入する入口管と、
前記入口管には、前記容器の内部に導入する海水又は洗浄水の量を調節する入口弁と、
前記入口管の前記入口弁の上流側には、前記容器の内部に海水又は洗浄水を送水するポンプと、
前記容器の下部側面には、該容器の下部の空間から透過水を導出する出口管と、
前記出口管には、前記容器の内部から導出される透過水の量を調節する出口弁と、
前記容器の側面の前記隔壁の近傍の上部には、上部の空間から異物を排出するブロー管と、
前記ブロー管には、該ブロー管の流量を調節するブロー弁と、
前記容器の底部には、該容器の内部の海水又は洗浄水を排水するドレン管と、
前記ドレン管には、該ドレン管の流量を調節するドレン弁と、
前記容器の上部には、該容器の内部に溜まった空気を排出するガス抜き管と、
前記ガス抜き管には、該ガス抜き管の流量を調節するガス抜き弁と、
を備える第１の海水中異物除去装置と、
円筒形状の容器と
前記容器の内部には、該容器の上部の空間と下部の空間とを仕切る中央部に開口部が形成された隔壁と、
前記容器の内部の上部の空間には、複数の孔が形成された円筒形状のエレメントと、
前記容器の上部側面には、該容器の内部の上部の空間に海水又は洗浄水を導入する入口管と、
前記入口管には、前記容器の内部に導入する海水又は洗浄水の量を調節する入口弁と、
前記入口管の前記入口弁の上流側には、前記容器の内部に海水又は洗浄水を送水するポンプと、
前記容器の下部側面には、該容器の下部の空間から透過水を導出する出口管と、
前記出口管には、前記容器の内部から導出される透過水の量を調節する出口弁と、
前記容器の側面の前記隔壁の近傍の上部には、上部の空間から異物を排出するブロー管と、
前記ブロー管には、該ブロー管の流量を調節するブロー弁と、
前記容器の底部には、該容器の内部の海水又は洗浄水を排水するドレン管と、
前記ドレン管には、該ドレン管の流量を調節するドレン弁と、
前記容器の上部には、該容器の内部に溜まった空気を排出するガス抜き管と、
前記ガス抜き管には、該ガス抜き管の流量を調節するガス抜き弁と、
を備える第２の海水中異物除去装置と、
前記第１の海水中異物除去装置の前記出口管と前記第２の海水中異物除去装置の前記出口管とを接続する逆洗用の逆洗管と、
前記逆洗管には、該逆洗管の流量を調節する逆洗管弁と、
前記第１の海水中異物除去装置及び前記第２の海水中異物除去装置における前記ポンプの停止及び稼動や、前記入口弁、前記出口弁、前記ブロー弁、前記ガス抜き弁及び逆洗管弁の開度を制御する制御装置と
ことを特徴とする海水中異物除去装置。
【００１６】
上記の課題を解決するための第８の発明に係る海水中異物除去装置は、第７の発明に係る海水中異物除去装置において、
前記制御装置は、
前記第２の海水中異物除去装置の逆洗時には前記第１の海水中異物除去装置の前記出口弁の開閉を繰り返し、
前記第１の海水中異物除去装置の逆洗時には前記第２の海水中異物除去装置の前記出口弁の開閉を繰り返す
ことを特徴とする。
【発明の効果】
【００１７】
本発明によれば、比重の軽い異物が大量に流入した場合であってもエレメントに付着した異物を除去することができる海水中異物除去装置を提供することができる。
【図面の簡単な説明】
【００１８】
【図１】本発明の第１の実施例に係る海水中異物除去装置の構成を示した模式図である。
【図２】本発明の第２の実施例に係る海水中異物除去装置の構成を示した模式図である。
【図３】本発明の第３の実施例に係る海水中異物除去装置の構成を示した模式図である。
【図４】本発明の第４の実施例に係る海水中異物除去装置の構成を示した模式図である。
【図５】本発明の第６の実施例に係る海水中異物除去装置の構成を示した模式図である。
【図６】本発明の第７の実施例に係る海水中異物除去装置の構成を示した模式図である。
【図７】本発明に係る海水中異物除去装置においてエレメントに入り込んだ異物が除去される様子を示した模式図である。
【発明を実施するための形態】
【００１９】
以下、本発明に係る海水中異物除去装置を実施するための形態について、図面を参照しながら説明する。
【実施例１】
【００２０】
以下、本発明に係る海水中異物除去装置の第１の実施例について説明する。
はじめに、本実施例に係る海水中異物除去装置の構成について説明する。
図１は、本実施例に係る海水中異物除去装置の構成を示した模式図である。なお、図１（ａ）は側面図、図１（ｂ）は平面図を示している。
【００２１】
図１に示すように、本実施例に係る海水中異物除去装置は、外殻が円筒形状の容器１（以下、ストレーナ容器１という）を備えている。ストレーナ容器１の内部には、ストレーナ容器１の内部の上部の空間と下部の空間とを仕切る隔壁２が設置されている。隔壁２には、中央部に開口部２ａが形成されている。
【００２２】
ストレーナ容器１の内部の上部の空間には、異物を捕らえる円筒形状のエレメント３が設置されている。エレメント３の上端はストレーナ容器１と接続されており、下部は隔壁２と接続されている。エレメント３には、複数の孔が形成されている。なお、本実施例においては、孔の径は３ｍｍ程度としている。
【００２３】
ストレーナ容器１の上部側面には、ストレーナ容器１の内部の上部の空間に海水又は洗浄水を導入する管４（以下、入口管４という）が接続されている。入口管４はストレーナ容器１上方から見てストレーナ容器１に対して接線方向から接続されている。このため、ストレーナ容器１内に導入された海水又は洗浄水は、図１中に矢印Ｔで示すようにエレメント３の周囲を旋回する流れを形成することとなる。
【００２４】
入口管４には、ストレーナ容器１の内部に導入する海水又は洗浄水の量を調節する弁１０（以下、入口弁１０という）が設置されている。また、入口管４の入口弁１０の上流側には、ストレーナ容器１の内部に海水又は洗浄水を送水するポンプ１１が設置されている。
【００２５】
ストレーナ容器１の下部側面には、ストレーナ容器１の下部の空間から透過水を導出する管５（以下、出口管５という）が接続されている。出口管５には、ストレーナ容器１の内部から導出される透過水の量を調節する弁１２（以下、出口弁１２という）が設置されている。
【００２６】
ストレーナ容器１の側面の隔壁２の近傍の上部には、上部の空間から異物を排出するブロー管６が接続されている。ブロー管６はストレーナ容器１上方から見てストレーナ容器１に対して接線方向から接続されている。ブロー管６には、ブロー管６の流量を調節する弁１３（以下、ブロー弁１３という）が設置されている。
【００２７】
ストレーナ容器１の底部には、ストレーナ容器１の内部の海水又は洗浄水を排水するドレン管７が接続されている。ドレン管７には、ドレン管７の流量を調節する弁１４（以下、ドレン弁１４という）が設置されている。
【００２８】
また、ドレン管７のドレン弁１４の下流側には、ストレーナ容器１の内部に海水又は洗浄水を送水するポンプ２０が設置されている。なお、本実施例においては、ドレン管７にポンプ２０を設置することとしたが、出口管５に設置することとしてもよい。
【００２９】
ストレーナ容器１の上部には、ストレーナ容器１の内部に溜まった空気を排出するガス抜き管８が接続されている。ガス抜き管８には、ガス抜き管８の流量を調節する弁１５（以下、ガス抜き弁１５）が設置されている。
【００３０】
そして、本実施例に係る海水中異物除去装置は、ポンプ１１の停止及び稼動や、入口弁１０、出口弁１２、ブロー弁１３、ドレン１４弁、ガス抜き弁１５及びポンプ２０の開度を制御する制御装置９を備えている。
以上が、本実施例に係る海水中異物除去装置の装置構成である。
【００３１】
次に、本実施例に係る海水中異物除去装置の動作について説明する。
本実施例に係る海水中異物除去装置においては、差圧が上昇（例えば、通常時から＋０．０２ＭＰａ以上）した場合に次の手順で逆洗モードに入り、エレメント３を閉塞した異物を除去する。
【００３２】
はじめに、制御装置９によりポンプ１１を制御して、ポンプ１１を停止させる。
次に、制御装置９により入口弁１０と出口弁１２を制御して、入口弁１０と出口弁１２を閉じる。
【００３３】
次に、制御装置９によりドレン弁１４を制御して、ドレン弁１４を開いた後、制御装置９によりポンプ２０を制御して、ポンプ２０を稼動させて海水又は洗浄水を逆洗浄水としてエレメント３の内側へ送水する。この逆洗浄水によりエレメント３に付着した異物が除去され、除去された異物はブロー管６から排出される。
そして、差圧が低下した後、逆の順序で通常運転に戻す。
【００３４】
なお、逆洗浄水の流量は、ブロー管６の配管流速に支配され、流量を多くすることには限界があるが、可能な限り大きくすることとし、本実施例においては、５０〜２２０ｍ3／ｈとした。また、本実施例においては、出口弁１２を閉じている時間は、上流の冷却系統において必要とされる冷却水が不足しない程度の時間としている。
【００３５】
したがって、本実施例に係る海水中異物除去装置によれば、図７（ａ）に示すようにエレメント３の孔に入り込んだ状態で付着した異物を、図７（ｂ）に示すように逆洗浄水により除去することができる。このように、本実施例に係る海水中異物除去装置は、エレメント３の孔に入り込んだ状態で付着した異物に対する洗浄効果が高い。
【００３６】
なお、本実施例に係る海水中異物除去装置によれば、エレメント３の洗浄後の異物の付着率（エレメント３全体に対する付着物の占める割合）を２０〜３０％（なお、エレメント３の洗浄前は９０％）に減少させることができた。
【実施例２】
【００３７】
以下、本発明に係る海水中異物除去装置の第２の実施例について説明する。
はじめに、本実施例に係る海水中異物除去装置の構成について説明する。
図２は、本実施例に係る海水中異物除去装置の構成を示した模式図である。なお、図２（ａ）は側面図、図２（ｂ）は平面図を示している。
【００３８】
図２に示すように、本実施例に係る海水中異物除去装置の構成は、第１の実施例に係る海水中異物除去装置とほぼ同様であるが、第１の実施例におけるポンプ２０に代え、ポンプ１１とドレン管７とをバイパス管２１により接続し、バイパス管２１上にバイパス弁２２を設置した。
【００３９】
なお、本実施例においては、ドレン管７にバイパス管２１を接続することとしたが、出口管５に接続することとしてもよい。また、本実施例に係る海水中異物除去装置における制御装置９は、バイパス弁２２の開閉も制御することができるように構成されている。
以上が、本実施例に係る海水中異物除去装置の装置構成である。
【００４０】
次に、本実施例に係る海水中異物除去装置の動作について説明する。
本実施例に係る海水中異物除去装置においては、差圧が上昇（例えば、通常時から＋０．０２ＭＰａ以上）した場合に次の手順で逆洗モードに入り、エレメント３を閉塞した異物を除去する。
【００４１】
はじめに、制御装置９により入口弁１０と出口弁とバイパス弁２２を制御して、入口弁１０と出口弁１２を閉じ、バイパス弁２２を開く。
次に、制御装置９によりバイパス弁２２を制御して、バイパス弁２２を開いた後、制御装置９によりポンプ１１を制御して、ポンプ１１により海水又は洗浄水を逆洗浄水としてエレメント３の内側へ送水する。この逆洗浄水によりエレメント３に付着した異物が除去され、除去された異物はブロー管６から排出される。
そして、差圧が低下した後、逆の順序で通常運転に戻す。
【００４２】
なお、逆洗浄水の流量は、ブロー管６の配管流速に支配され、流量を多くすることには限界があるが、可能な限り大きくすることとし、本実施例においては、５０〜２２０ｍ3／ｈとした。また、本実施例においては、出口弁１２を閉じている時間は、上流の冷却系統において必要とされる冷却水が不足しない程度の時間としている。
【００４３】
したがって、本実施例に係る海水中異物除去装置によれば、図７（ａ）に示すようにエレメント３の孔に入り込んだ状態で付着した異物を、図７（ｂ）に示すように逆洗浄水により除去することができる。このように、本実施例に係る海水中異物除去装置は、エレメント３の孔に入り込んだ状態で付着した異物に対する洗浄効果が高い。
【００４４】
また、本実施例に係る海水中異物除去装置によれば、第１の実施例に係る海水中異物除去装置のようにポンプ２０を設置することなく、バイパス管２１及びバイパス弁２２を設置するだけで、逆洗浄水により洗浄することができるため、コストを抑制することができる。
【００４５】
なお、本実施例に係る海水中異物除去装置によれば、エレメント３の洗浄後の異物の付着率（エレメント３全体に対する付着物の占める割合）を２０〜３０％（なお、エレメント３の洗浄前は９０％）に減少させることができた。
【実施例３】
【００４６】
以下、本発明に係る海水中異物除去装置の第３の実施例について説明する。
はじめに、本実施例に係る海水中異物除去装置の構成について説明する。
図３は、本実施例に係る海水中異物除去装置の構成を示した模式図である。
【００４７】
図３に示すように、本実施例に係る海水中異物除去装置の構成は、第１の実施例に係る海水中異物除去装置とほぼ同様であるが、ガス抜き管８に圧縮空気を吹き込むブロワ２３を設置した。なお、本実施例においては、例として第１の実施例に係る海水中異物除去装置においてガス抜き管８にブロワ２３を設置する構成について説明するが、第２の実施例に係る海水中異物除去装置においても同様にガス抜き管８にブロワ２３を設置する構成とすることもできる。
【００４８】
なお、本実施例においては、圧縮空気供給手段としてブロワ２３を設置することとしたが、コンプレッサを設置することとしてもよい。また、本実施例に係る海水中異物除去装置における制御装置９は、ブロワ２３の停止及び稼動も制御することができるように構成されている。
以上が、本実施例に係る海水中異物除去装置の装置構成である。
【００４９】
次に、本実施例に係る海水中異物除去装置の動作について説明する。
本実施例に係る海水中異物除去装置においては、差圧が上昇（例えば、通常時から＋０．０２ＭＰａ以上）した場合に次の手順でエレメント３を閉塞した異物を除去する。
【００５０】
はじめに、制御装置９によりポンプ１１を制御して、ポンプ１１を停止し、入口管４からの海水の導入を停止する。
次に、エレメント３が水中から露出するまで水位が下がるのを待った後、制御装置９により出口弁１２を制御して、出口弁１２を閉じる。
【００５１】
次に、制御装置９によりガス抜き弁１５を制御して、ガス抜き弁１５を開いた後、制御装置９によりブロワ２３を制御して、ブロワ２３を稼動させてガス抜き管５からエレメント３の内部に圧縮空気を注入し、エレメント３に付着した異物を吹き飛ばす。なお、圧縮空気の圧力は高い程、異物を除去する効果は高いが、ストレーナ容器１の強度及び耐圧や、ブロワ２３の能力等を考慮すると、圧縮空気の圧力は０．２〜０．５ＭＰａ程度が望ましい。
【００５２】
次に、第１，２の実施例に係る海水中異物除去装置における逆洗モードに入り、逆洗浄水により吹き飛ばされた異物がブロー管６から排出される。
【００５３】
したがって、本実施例に係る海水中異物除去装置によれば、図７（ａ）に示すようにエレメント３の孔に入り込んだ状態で付着した異物を、図７（ｂ）に示すようにエレメント３の内側から圧縮空気の圧力により強制的な剥離力を与えて除去することができる。このように、本実施例に係る海水中異物除去装置は、第１〜４の実施例に係る海水中異物除去装置に比べて、エレメント３の孔に入り込んだ状態で付着した異物をより効率よく除去することができる。
【実施例４】
【００５４】
以下、本発明に係る海水中異物除去装置の第４の実施例について説明する。
はじめに、本実施例に係る海水中異物除去装置の構成について説明する。
図４は、本実施例に係る海水中異物除去装置の構成を示した模式図である。
【００５５】
図４に示すように、本実施例に係る海水中異物除去装置の構成は、第１の実施例に係る海水中異物除去装置とほぼ同様であるが、ドレン管７に空気を吹き込むブロワ２４を設置した。なお、本実施例においては、例として第１の実施例に係る海水中異物除去装置においてドレン管７にブロワ２４を設置する構成について説明するが、第２，３の実施例に係る海水中異物除去装置においても同様にドレン管７にブロワ２４を設置する構成とすることもできる。
【００５６】
また、本実施例においては、空気供給手段としてブロワ２４を設置することとしたが、コンプレッサを設置することとしてもよい。また、本実施例に係る海水中異物除去装置における制御装置９は、ブロワ２４の停止及び稼動も制御することができるように構成されている。
以上が、本実施例に係る海水中異物除去装置の装置構成である。
【００５７】
次に、本実施例に係る海水中異物除去装置の動作について説明する。
本実施例に係る海水中異物除去装置においては、差圧が上昇（例えば、通常時から＋０．０２ＭＰａ以上）した場合に次の手順で逆洗モードに入り、エレメント３を閉塞した異物を除去する。
【００５８】
はじめに、制御装置９によりポンプ１１を制御して、ポンプ１１を停止し、入口管４からの海水の導入を停止する。
次に、制御装置９により入口弁１０を制御して、入口弁１０を閉じ、ドレン管７から逆洗浄水としてエレメント３の内側へ送水する。なお、逆洗浄水の流量は、ブロー管６の配管流速に支配され、流量を多くすることには限界があるが、可能な限り大きくすることとし、本実施例においては、５５〜２２０ｍ3／ｈとした。
【００５９】
次に、逆洗浄水の送水と同時に、制御装置９によりブロワ２４を制御して、ブロワ２４を稼動させてドレン管７から空気を吹き込み、空気と水の気液２相水を発生させる。空気と水の気液２相水によって異物を除去する。なお、空気の流量は、逆洗浄水量の１０〜１００％が望ましい。この逆洗浄水によりエレメント３に付着した異物が除去され、除去された異物はブロー管６から排出される。
【００６０】
次に、制御装置９によりドレン弁１４を制御して、ドレン弁１４を閉じた後、制御装置９によりポンプ１１を制御して、ポンプ１１を稼動させ、入口管４から洗浄水を導入する。洗浄水は、エレメント３の周囲を旋回してブロー管６から排出されるが、その際に、吹き飛ばされた異物が一緒に排出される。なお、本実施例においては、洗浄水の量は１４０〜２２０ｍ3／ｈとした。
【００６１】
したがって、本実施例に係る海水中異物除去装置によれば、エレメント３の内側からの気液２相水による衝撃により、強制的な剥離力を与えて除去することができる。このように、本実施例に係る海水中異物除去装置は、エレメント３の孔に入り込んだ状態で付着した異物に対する洗浄効果が高い。
【００６２】
なお、本実施例に係る海水中異物除去装置によれば、エレメント３の洗浄後の異物の付着率（エレメント３全体に対する付着物の占める割合）を２０〜３０％（なお、エレメント３の洗浄前は９０％）に減少させることができた。
【実施例５】
【００６３】
以下、本発明に係る海水中異物除去装置の第５の実施例について説明する。
なお、本実施例に係る海水中異物除去装置の構成は、第１〜４の実施例に係る海水中異物除去装置と同様であるためここでの説明は省略する。
【００６４】
本実施例に係る海水中異物除去装置の動作について説明する。
本実施例に係る海水中異物除去装置においては、差圧が上昇（例えば、通常時から＋０．０２ＭＰａ以上）した場合に次の手順で逆洗モードに入り、エレメント３を閉塞した異物を除去する。
【００６５】
はじめに、第１〜４の実施例に係る海水中異物除去装置における逆洗モードに入り、逆洗浄水により吹き飛ばされた異物がブロー管６から排出される。また、本実施例においては、出口弁１２を閉じている時間は、上流の冷却系統において必要とされる冷却水が不足しない程度の時間としている。
【００６６】
次に、逆洗終了後に、制御装置９により出口弁１２を制御して、出口弁１２を閉じた後、制御装置９によりポンプ１１を制御して、ポンプ１１を稼動させて入口管４から洗浄水を導入して順洗を行う。なお、洗浄水の流量は、ブロー管６の配管流速に支配され、流量を多くすることには限界があるが、可能な限り大きくすることとし、本実施例においては、５０〜２２０ｍ3／ｈとした。これにより、エレメント３に付着し剥離しかかっていた付着物を旋回流（すなわち、逆洗とは異なる方向に働く力）によって除去することができる。
【００６７】
したがって、本実施例に係る海水中異物除去装置によれば、第１〜４の実施例に係る海水中異物除去装置に比べて、逆洗と順洗の両方を行うことにより、エレメント３に付着した異物に異なる２方向から力を加えることができるため、より効率よく異物を除去することができる。
【実施例６】
【００６８】
以下、本発明に係る海水中異物除去装置の第６の実施例について説明する。
はじめに、本実施例に係る海水中異物除去装置の構成について説明する。
図５は、本実施例に係る海水中異物除去装置の構成を示した模式図である。
【００６９】
図５に示すように、本実施例に係る海水中異物除去装置の構成は、第１の実施例に係る海水中異物除去装置とほぼ同様であるが、逆洗時にのみ専用で使用する逆洗用ブロー管２５をストレーナ容器１の上部に設置し、逆洗用ブロー管２５には逆洗用ブロー管２５を開閉できる逆洗用ブロー弁２６を設置した。
【００７０】
また、本実施例に係る海水中異物除去装置における制御装置９は、逆洗用ブロー弁２６の開閉も制御することができるように構成されている。なお、本実施例においては、例として第１の実施例に係る海水中異物除去装置において逆洗用ブロー管２５を設置する構成について説明するが、第２〜５の実施例に係る海水中異物除去装置においても同様に逆洗用ブロー管２５を設置する構成とすることもできる。
【００７１】
ブロー管６は、通常運転時に沈降した異物が排出されやすいようにストレーナ容器１の隔壁２の近傍の上部に設置されている。このため、逆洗時においては、ストレーナ容器１の内部の下方から上方に向かって逆洗浄水が流れるため、ブロー管６の設置位置では、逆洗浄水がエレメント３の全体を通らず、ショートカットしてブロー管６から排出されてしまうため、エレメント全体に行き届きにくい。
【００７２】
そこで、逆洗用ブロー管２５をストレーナ容器１の上部に設置し、第１〜５の実施例に係る海水中異物除去装置において説明した逆洗時には、制御装置９により逆洗用ブロー弁２６を制御して、逆洗用ブロー弁２６を開き、逆洗用ブロー管２５から逆洗水を排出させることとした。なお、逆洗時には、ブロー管６のブロー弁６は閉じておく。
【００７３】
また、逆洗用ブロー管２５の設置位置はストレーナ容器１の上部に設置する程、逆洗浄水のショートカットを防止することができるため、エレメント３の洗浄効果を高めることができるが、エレメント３の洗浄効果を多少犠牲にしてもよいのであれば、どブロー管６よりも上であればどこに設置することとしてもよい。
【００７４】
また、本実施例においては、例として第１の実施例に係る海水中異物除去装置において逆洗用ブロー管２５を設置する構成について説明するが、第２の実施例に係る海水中異物除去装置においても同様に逆洗用ブロー管２５を設置する構成とすることもできる。
【００７５】
したがって、本実施例に係る海水中異物除去装置によれば、逆洗用ブロー管２６をストレーナ容器１の上部に設置することにより、エレメント３の全体を逆洗浄水が通過するようにすることができるため、逆洗浄水による洗浄効果をより高めることができる。
【実施例７】
【００７６】
以下、本発明に係る海水中異物除去装置の第７の実施例について説明する。
はじめに、本実施例に係る海水中異物除去装置の構成について説明する。
図６は、本実施例に係る海水中異物除去装置の構成を示した模式図である。
【００７７】
図６に示すように、本実施例に係る海水中異物除去装置の構成は、第１の実施例に係る海水中異物除去装置を２基設置し、第１の海水中異物除去装置３０の出口管５と第２の海水中異物除去装置３１の出口管５との間を逆洗用の逆洗管３２により接続し、逆洗管３２上に逆洗弁３３を設置した。
【００７８】
また、本実施例に係る海水中異物除去装置における制御装置９は、第１の海水中異物除去装置３０及び第２の海水中異物除去装置３１の両方を制御することができるように構成されている。なお、本実施例においては、例として第１の実施例に係る海水中異物除去装置を２基設置する場合を例として説明するが、第２〜６の実施例に係る海水中異物除去装置を２基設置する構成とすることもできる。
【００７９】
本実施例に係る海水中異物除去装置においては、例えば、第２の海水中異物除去装置３１の差圧が上昇（例えば、通常時から＋０．０２ＭＰａ以上）した場合に第１逆洗モードに入り、制御装置９により第１の海水中異物除去装置３０の出口弁１２と第２の海水中異物除去装置３１の入口弁１０及び出口弁１２と逆洗弁３３を制御して、第１の海水中異物除去装置３０の出口弁１２を部分的に閉じ、第２の海水中異物除去装置３１の入口弁１０及び出口弁１２を閉じ、逆洗弁３３を開いて、第２の海水中異物除去装置３１の出口管５から透過水を逆洗浄水として導入し、第２の海水中異物除去装置３１のエレメント３を閉塞した異物を除去する。除去された異物は第２の海水中異物除去装置３１のブロー管６から排出される。
【００８０】
また、逆に、第１の海水中異物除去装置３０の差圧が上昇（例えば、通常時から＋０．０２ＭＰａ以上）した場合に第２逆洗モードに入り、制御装置９により第２の海水中異物除去装置３１の出口弁１２と第１の海水中異物除去装置３０の入口弁１０及び出口弁１２と逆洗弁３３を制御して、第２の海水中異物除去装置３１の出口弁１２を部分的に閉じ、第１の海水中異物除去装置３０の入口弁１０及び出口弁１２を閉じ、逆洗弁３３を開いて、第１の海水中異物除去装置３０の出口管５から透過水を逆洗浄水として導入し、第１の海水中異物除去装置３０のエレメント３を閉塞した異物を除去する。除去された異物は第１の海水中異物除去装置３０のブロー管６から排出される。
【００８１】
したがって、本実施例に係る海水中異物除去装置によれば、図７（ａ）に示すようにエレメント３の孔に入り込んだ状態で付着した異物を、図７（ｂ）に示すように逆洗浄水により除去することができる。このように、本実施例に係る海水中異物除去装置は、エレメント３の孔に入り込んだ状態で付着した異物に対する洗浄効果が高い。
【００８２】
また、例えば第２の海水中異物除去装置３１の差圧が上昇した場合に第１の海水中異物除去装置３０により下流の冷却系統に冷却水を供給しながら、同時に第１の海水中異物除去装置３０により第２の海水中異物除去装置３１へ逆洗浄水を供給することができるため、連続的に海水中異物除去設備を運用することができる。
【実施例８】
【００８３】
以下、本発明に係る海水中異物除去装置の第８の実施例について説明する。
本実施例に係る海水中異物除去装置の構成は、第７の実施例に係る海水中異物除去装置と同様であるが、第１逆洗モード時に第１の海水中異物除去装置３０の出口弁１２をタイマー等をもちいて自動的に開閉し、第２逆洗モード時に第２の海水中異物除去装置３１の出口弁１２をタイマー等で自動的に開閉を繰り返すことにより、逆洗浄水の量を一時的に増大するようにする。
【００８４】
したがって、本実施例に係る海水中異物除去装置によれば、エレメント３の内側からの衝撃により、強制的な剥離力を与えて除去することができる。このように、本実施例に係る海水中異物除去装置は、エレメント３の孔に入り込んだ状態で付着した異物に対する洗浄効果をより高めることができる。
【産業上の利用可能性】
【００８５】
本発明は、例えば、発電所等の冷却系統において使用される冷却水として用いられる海から取水した海水から異物を除去する海水中異物除去装置に利用することが可能である。
【符号の説明】
【００８６】
１  ストレーナ容器
２  隔壁
２ａ  開口部
３  エレメント
４  入口管
５  出口管
６  ブロー管
７  ドレン管
８  ガス抜き管
９  制御装置
１０  入口弁
１１  ポンプ
１２  出口弁
１３  ブロー弁
１４  ドレン弁
１５  ガス抜き弁
２０  ポンプ
２１  バイパス管
２２  バイパス弁
２３  ブロワ
２４  ブロワ
２５  逆洗用ブロー管
２６  逆洗用ブロー弁
３０  第１の海水中異物除去装置
３１  第２の海水中異物除去装置
３２  逆洗管
３３  逆洗弁
４０  異物
【図１】
2012020260.tif 000003
【図２】
2012020260.tif 000004
【図３】
2012020260.tif 000005
【図４】
2012020260.tif 000006
【図５】
2012020260.tif 000007
【図６】
2012020260.tif 000008
【図７】
2012020260.tif 000009